(57)【特許請求の範囲】
【請求項１】
駆動源と連結され、歯が並設される歯列部と歯を有しない歯欠部とを有する原動車と、前記原動車の歯列部と噛み合って可動物を可動する従動車と、を備える遊技機であって、
前記原動車は、前記歯列部の各歯のうち前記従動車と最初に噛み合う第１歯が前記原動車の他の歯より高さ及び／又は幅を大きくして形成され、
前記従動車は、前記原動車の第１歯と噛み合うとともに前記第１歯の大きさに対応して形成された第１溝部と、前記原動車の前記第１歯以外の他の歯が噛み合う第２溝部とを有し、
前記従動車は、前記原動車の歯欠部によって噛み合っていない状態で前記第１溝部が前記原動車の第１歯の噛み合いを待つ待機状態で停止保持されており、前記第１溝部と前記原動車の第１歯とが噛み合うことにより前記待機状態が解除されることを特徴とする遊技機。
【発明の詳細な説明】
【技術分野】
【０００１】
本発明は遊技機に係り、特に、歯車を介して駆動される可動物を備える遊技機に関する。
【背景技術】
【０００２】
たとえばパチンコ遊技機は、その遊技盤上にたとえば可動役物が備えられているのが通常である。この可動役物は、遊技盤上に発射されたパチンコ球が所定の始動口に落入されると、予め定められた動きがなされるようになっている。可動役物のこのような動きは、遊技者の興を向上させることができる。
【０００３】
このような役物の可動の駆動源としては、たとえば電磁ソレノイド、あるいはモータを用いるようになっている。この場合、限られたスペース内に可動役物を取り付ける場合、駆動源としてモータを用い、このモータの駆動を役物に伝達させるための歯車列を用いることが好適となる。
【０００４】
そして、近年では、モータと歯車を用いて役物を可動させる場合、歯車（原動車）を周囲の一部において歯車を欠損させて（以下、この欠損部を歯欠部と称する）構成することにより、この原動車と噛み合う他の歯車（従動車）によって可動される役物に特別な動きをさせるものが知られるに至っている（たとえば下記特許文献１参照）。
【０００５】
すなわち、特許文献１では、役物の昇降を行う機構が開示されている。役物は、原動車と噛み合う従動車に巻回されるワイヤを介して昇降がなされるようになっている。原動車には、その周囲の一部に歯欠部を有し、他の残りの部分は通常の歯車と同様の歯列部が形成されている。原動車が一回転する間において、原動車が、その歯列部と従動車の歯車が対向して噛み合っている間は、原動車の回転が従動車に伝達され、ワイヤを巻き取りながら、役物は上昇がなされるようになる。しかし、原動車が、その歯欠部が従動車の歯車と対向するに及んだ場合、原動車の歯車と従動車の歯車の噛み合いが解除され、従動車は逆転できる状態となっていることから、役物は、その重力によって降下するようになる。
【０００６】
このようにすることによって、簡単な構成にも拘わらず、役物の上昇の際には遅い速度で上昇させ、下降の際には速い速度で下降させることができ、その動きの変化に遊技者はさらなる興奮をおぼえることになる。
【先行技術文献】
【特許文献】
【０００７】
【特許文献１】特開２００９−７２３３６号公報
【発明の概要】
【発明が解決しようとする課題】
【０００８】
しかし、このような役物の可動を行う機構において、上述したように、原動車と従動車は、原動車の歯欠部と従動車の歯が対向することにより、それらの噛み合いが解除され、従動車は動いていない状態となる。したがって、原動車が、その後の回転によって、その歯列部が従動車の歯に噛み合う際には、従動車はいままで全く動いていない状態から原動車の動きに合わせて動きだすことになる。
【０００９】
この場合、原動車と従動車が互いに噛み合っている状態と比較して、原動車の歯列部の各歯のうち、最初に従動車の歯に噛み合う歯において、極めて大きな力が加わり、その反力として該個所における従動車にも極めて大きな力が加わるようになる。このことから、原動車と従動車との噛み合わせにずれが生じる不都合が生じる。
【００１０】
このことから、上述のような役物の可動を行う機構（必ずしも特許文献１に示した昇降機構に限定されることはない）において、役物の動きに不自然さが生じ、これまで遊技に興じてきている遊技者に不快感をもたらす原因となる畏れを有する。
【００１１】
本発明は、上記問題点に鑑みなされたものであって、歯欠部が形成された歯車を有する歯車列を介して可動物の可動を行う機構を備えるものにあって、歯車列のかみ合いを確実とし、可動物の可動を信頼性あるものとした遊技機を提供することにある。
【課題を解決するための手段】
【００１２】
本発明は、以下の構成によって把握することができる。
【００１３】
すなわち、（１）本発明の遊技機は、駆動源と連結され、歯が並設される歯列部と歯を有しない歯欠部とを有する原動車と、前記原動車の歯列部と噛み合って可動物を可動する従動車と、を備える遊技機であって、前記原動車は、前記歯列部の各歯のうち前記従動車と最初に噛み合う第１歯が前記原動車の他の歯より高さ及び／又は幅を大きくして形成され、前記従動車は、前記原動車の第１歯と噛み合うとともに前記第１歯の大きさに対応して形成された第１溝部と、前記原動車の前記第１歯以外の他の歯が噛み合う第２溝部とを有し、前記従動車は、前記原動車の歯欠部によって噛み合っていない状態で前記第１溝部が前記原動車の第１歯の噛み合いを待つ待機状態で停止保持されており、前記第１溝部と前記原動車の第１歯とが噛み合うことにより前記待機状態が解除されることを特徴とする。
【００１４】
このように構成された遊技機は、駆動源と連結される原動車と、この原動車と噛みあう従動車において、原動車に形成された第１歯（他の歯より少なくとも高さあるいは幅を大きくして形成されている）と従動車に形成された第１溝（第１歯の大きさに対応させて形成されている）が噛み合う構成となっていることから、原動車と従動車との噛み合わせのズレを防止でき、役物の信頼性ある動きを実現させることができる。
【００１５】
ここで、原動車は、特に、歯列部と歯欠部とが形成され、従動車との噛み合いが歯欠部から歯列部にかけて行われる際に、噛み合いにズレが発生し易くなることに鑑み、原動車の歯列部の各歯のうち従動車と最初に噛み合う歯を前記第１歯とし、この第１歯と噛み合う従動車の溝を前記第１溝とすることにより、原動車と従動車との噛み合わせのズレを確実に防止することができるようになる。
【００１６】
そして、原動車における第１歯は、歯欠部に隣接した個所に形成できることから、その幅あるいは高さを比較的大きく形成できる。このことは、従動車における第１溝においても原動車の第１歯に対応させて大きく形成できる。このことから、原動車の第１歯と従動車の第１溝との噛み合いをズレなく行うことができ、原動車と従動車との噛み合わせのズレを確実に防止することができるようになる。
【発明の効果】
【００１７】
このように構成した本発明の遊技機によれば、歯欠部が形成されている歯車を有する歯車列を介して可動物の可動を行う機構を備えるものにあって、歯車列のかみ合いを確実とし、可動物の可動を信頼性あるものとすることができる。
【図面の簡単な説明】
【００１８】
【図１】本発明の遊技機の実施態様を示す概略図でパチンコ遊技機の機枠内に組み込まれる遊技盤の正面図である。
【図２】遊技盤に取り付けられる天飾り部材の第１態様を示す正面図である。
【図３】遊技盤に取り付けられる天飾り部材の第２態様を示す正面図である。
【図４】遊技盤に取り付けられる天飾り部材の第３態様を示す正面図である。
【図５】遊技盤に取り付けられる天飾り部材の第４態様を示す正面図である。
【図６】天飾り部材の機構部を示した図で、この機構の一連の動きを図７、図８、図９とともに時系列に示した図である。
【図７】天飾り部材の機構部を示した図で、この機構の一連の動きを図６、図８、図９とともに時系列に示した図である。
【図８】天飾り部材の機構部を示した図で、この機構の一連の動きを図６、図７、図９とともに時系列に示した図である。
【図９】天飾り部材の機構部を示した図で、この機構の一連の動きを図６、図７、図８とともに時系列に示した図である。
【図１０】天飾り部材に取り付けられる原動車の一実施態様を示す構成図である。
【図１１】天飾り部材に取り付けられる従動車の一実施態様を示す構成図である。
【図１２】眼球体の上面図で、揺動板の取り付け状態を示した図である。
【発明を実施するための形態】
【００１９】
以下、添付図面を参照して、本発明を実施するための形態（以下、実施形態）について詳細に説明する。なお、実施形態の説明の全体を通して同じ要素には同じ番号を付している。
【００２０】
〈遊技盤の概略構成〉
図１は、本発明の遊技機の実施態様を示す概略図である。図１は、パチンコ遊技機の機枠内に組み込まれる遊技盤１０を示した平面図である。
【００２１】
図１において、遊技盤１０の周辺の若干の領域を除く中央部は遊技領域１１となっている。遊技領域１１はほぼ円形のガイドレール１２に囲まれるように構成され、このガイドレール１２は、図中下側から左肩側にかけて外側レール１２Ａと内側レール１２Ｂを備え、パチンコ球を外側レール１２Ａと内側レール１２Ｂの間の通路を通して遊技領域１１の上方へ導くようになっている。パチンコ球は、図示しない機枠に取り付けられた操作レバーによって駆動される打槌機構によって、図中下側から外側レール１２Ａと内側レール１２Ｂの間の通路に発射されるようになっている。なお、遊技領域１１の上方から落下するパチンコ球は、後述する入賞口、始動口等に入賞したものを除いて、遊技領域の最下端位置に設けられアウト口１３を通して回収されるようになっている。
【００２２】
遊技盤１０の遊技領域１１のほぼ中央であって若干上側に偏位した位置に矩形状の開口１４が形成されている。遊技盤１０の裏面にはたとえば液晶表示器からなる画像表示装置１５が配置され、この画像表示装置１５の表示面１５Ａは前記開口１４を通して目視できるようになっている。画像表示装置１５は、たとえば、パチンコ遊技の最中においてインフォメーション等を表示し、あるいは入賞の際にその興奮を盛り上げさせるような工夫がされた画像を表示するようになっている。
【００２３】
遊技領域１１の画像表示装置１５の上部には、たとえば、表示面１５Ａ（開口１４）の上辺に沿って天飾り部材３０が配置されている。この天飾り部材３０は、後に詳述するが、モータの駆動によって動く複数の役物を備え、たとえば、後述の始動口１８にパチンコ球が入賞した場合に、そのタイミングに合わせてそれぞれの役物が特別な動きをするようになっている。天飾り部材３０におけるこのような複数の役物の動きは遊技者の興を向上させるようになっている。
【００２４】
遊技領域１１の画像表示装置１５の下部には、たとえば、表示面１５Ａ（開口１４）の下辺に沿い遊技者側に若干突出するステージ１６が設けられている。このステージ１６の上面は波状の円弧面となっており、その左右における中央部の下部には排出口１７が設けられている。パチンコ球は、表示面１５Ａ（開口１４）のたとえば左肩近傍からステージ１６に連結されるワープルート（図示せず）を通して該ステージ１６の上面に至る場合、パチンコ球はステージ１６の円弧面上を揺動しながら排出口１７に落下できるようになっている。
【００２５】
また、遊技領域１１の排出口１７の下部には、始動口１８が設けられており、この始動口１８の下方には大入賞口１９が設けられている。始動口１８にパチンコ球が入賞した際に、画像表示装置１５の画面上に表示されている特別図柄の変動が所定時間行われるようになおり、画像表示装置１５に複数の特別図柄が特定の停止表示態様で停止表示すると、大当たり遊技状態として、大入賞口扉１９Ａが予め定められた作動条件に従って開閉する。
【００２６】
なお、遊技領域１１には、上述した部材の他に、複数の傷害釘、風車等が散在されて設けられ、これら傷害釘、風車等に当たったパチンコ球は、その当たり方に応じた方向に反発あるは落下できるようになっている。
【００２７】
〈天飾り部材〉
次に、前記天飾り部材３０についての概略を説明する。図２は、天飾り部材３０のうち上側の化粧カバー（図示せず）を外した状態を示す平面図である。化粧カバーは、少なくとも第１可動板３１および第２可動板３２の可動部分を除いた領域を被うようにして形成されている。このため、図２中、化粧カバーが被われる部分にはモータ３３、およびこのモータ３３と連結される機構の一部が露出されて目視されている。モータ３３、および上述の機構は機枠３７に固定されて配置されている。図２に示す天飾り部材３０の第１可動板３１および第２可動板３２は、初期状態を示すもので、第１可動板３１の図中右側辺と第２可動板３２の図中左側辺は互いに当接されいわゆる閉じた状態となっている。そして、上述したように、パチンコ球がたとえば始動口１８に入賞した場合、図３に示すように、第１可動板３１は図中左方向（図中矢印方向α）へ若干の水平移動がなされるとともに、第２可動板３２は図中右下方向（図中矢印方向β）へ若干の円弧移動がなされるようになっている。これにより、第１可動板３１および第２可動板３２はスライド扉として動作し、開いた状態になる。また、このとき、開いた扉からはたとえば一つの目玉３５が現出するようになっている。この場合、目玉３５は、たとえば遊技者の側を直視するようになっている。
【００２８】
次に、第１可動板３１および第２可動板３２は開いた状態で、目玉３５は、図４に示すように、たとえば図中左側を睨むようにして動くようになっている。その後、図３に示した状態を経て、図５に示すように、図中右側を睨むようにして動くようになっている。そして、目玉３５は、図４に示した状態を経るとともに、第１可動板３１および第２可動板３２が図３に示した移動と逆の移動がなされ、図２に示すように、対向する辺を当接させて閉じた状態となる。天飾り部材３０をこのように構成することによって、いままで、隠された目玉３５が顕れ、しかも、左右に動くことによって、遊技者の興味をさらに向上させることができるようになっている。
【００２９】
〈第１可動板および第２可動板の開閉機構〉
上述したように、天飾り部材３０は、まず、第１可動板３１および第２可動板３２の開動作が行われ、次に、第１可動板３１および第２可動板３２から現出した目玉３５の揺動動作が行われるようになっている。そこで、まず、天飾り部材３０における第１可動板および第２可動板の開閉機構およびその動作について説明する。
【００３０】
図６ないし図９は、それぞれ、天飾り部材３０の機構部（機枠３７の描画は省略している）を示した図で、この機構の一連の動きを図番順に従って時系列に示している。図６ないし図９のそれぞれにおいて、（ａ）は正面図、（ｂ）は背面図、（ｃ）は上面図を示している。なお、図６（ａ）は図２に対応した図、図７（ａ）は図３に対応した図、図８（ａ）は図４に対応した図、図９（ａ）は図５に対応した図となっている。
【００３１】
ここで、以下の説明では、背面図である図６（ｂ）、図７（ｂ）、図８（ｂ）、図  ９（ｂ）を中心にして説明し、必要に応じて他の図を引用しながら説明する。
【００３２】
まず、図６（ｂ）に示すように、機枠３７には、原動機からなるたとえばステッピングモータからなるモータ３３（図６（ａ）、（ｃ）参照）が取り付けられている。モータ３３は、その回転軸が機枠３７の前後方向に一致されて配置され、前記回転軸には原動車４０が取り付けられている。この原動車４０は、図１０（ａ）に示すように、その周辺部に沿って、歯列部４０Ａと、歯欠部４０Ｂと、非ギャ部４０Ｃとを有する歯車で形成されている。歯列部４０Ａは回転軸に対してほぼ１４４°の開き角を有し、歯欠部４０Ｂは回転軸に対してほぼ１４４°の開き角を有し、非ギャ部４０Ｃは回転軸に対してほぼ７２°の開き角を有して形成されている。
【００３３】
ここで、非ギャ部４０Ｃは歯列部４０Ａの頂部における径を有して円弧状に形成され、歯欠部４０Ｂは歯列部４０Ａの谷部における径を有して円弧状に形成されている。また、歯列部４０Ａにおける各歯のうち歯欠部４０Ｂに隣接して配置される歯（第１歯と称する場合がある）４０Ｐは、他の歯よりも歯幅および歯高が大きく形成されている。後に詳述するが、この原動車４０は、従動車５０（図１１参照）と噛み合うになっており、この従動車５０において、前記第１歯４０Ｐと対向して噛み合う部分には第１歯４０Ｐの形状に対応した溝（第１溝）５０Ｄが形成されている。この従動車５０は原動車の歯列部４０Ａと噛み合って可動物である目玉３５を可動させる。そして、原動車４０は、その裏面を図１０（ｂ）に示すように、回転軸を中心に比較的小さな径を有する円形の突条４０Ｍを有し、この突条４０Ｍの一部から径方向に円周近傍にまで突起される突起体４０Ｑが形成されている。この突起体４０Ｑは非ギャ部４０Ｃにおいて歯列部４０Ａに隣接する位置に形成されている。なお、図１０（ｂ）は、図１０（ａ）に対して図中上下方向の線を中心にした線対称の関係になっている。
【００３４】
図６（ｂ）に戻り、機枠３７の下方には水平方向に延在する棒状の第１スライダ４１が配置され、この第１スライダ４１は機枠３７に固定される図示しないガイドに沿って水平方向に往復動できるようになっている。第１スライダ４１の一端（図中右側端）は、原動車４０のほぼ下方に位置づけられるようになっている。第１スライダ４１の一端（図中右側端）にはラック４２が固定され、このラック４２の原動車４０側の上面にはＶ字状切欠４２Ｄが形成されている。ラック４２のＶ字状切欠４２Ｄには、原動車４０の回転（図中反時計廻り）にともなって、原動車４０の前記突起体４０Ｑ（図中点線で示す）が係合されるようになっている。
【００３５】
原動車４０の前記突起体４０Ｑのラック４２のＶ字状切欠４２Ｄへの係合は第１可動板３１および第２可動板３２の開動作の開始のタイミングに合わせてなされるようになっている。なお、原動車４０は、この場合、その歯欠部４０Ｂが従動車５０の周辺の一部に形成された歯欠部５０Ｂ（図１１参照）の円弧面に対向して摺動され、前記従動車５０の回転を休止(停止)させるようになっている。後に示すように、この従動車５０は目玉３５の揺動を行うための機構の一つとなっており、第１可動板３１および第２可動板３２の動作の際には、原動車４０の回転は従動車５０に伝達されないようになっている。
【００３６】
ラック４２のＶ字状切欠４２Ｄに原動車４０の突起体４０Ｑが係合されたまま、原動車４０が回転することによって、第１スライダ４１は図中右側へ移動するようになっている。また、このラック４２には第１可動板３１（図６（ａ）参照）が固定されており、第１可動板３１は第１スライダ４１の動きにともなって動くようになっている。この場合、図６（ａ）に示す第１可動板３１は同図中左側へ移動し、図７（ａ）に示す位置まで移動が持続されるようになっている。
【００３７】
また、図６（ｂ）に戻り、第１スライダ４１の他端（図中左側端）の近傍の上部には、棒状の第１リンク４３が配置されている。第１リンク４３は、中央において支軸部４３Ｏを介して機枠３７に取り付けられ、支軸部４３Ｏを中心に回動し得るようになっている。第１リンク４３は、図６（ｂ）に示す状態では、第１スライダ４１に対してほぼ４５°の角度で配置されている。第１リンク４３の第１スライダ４１側の一端にはピン４３Ａが植設され、このピン４３Ａは第１スライダ４１の他端（図中左側端）に縦方向に形成された長孔４１Ｈに係合されるようになっている。これにより、第１スライダ４１が図中右側に移動した際、第１リンク４３は支軸部４３Ｏを中心に時計廻りに回転するようになっている。第１リンク４３の回転は支軸部４３Ｏを中心にほぼ９０°の開き角でなされるようになっている（図７（ｂ）参照）。
【００３８】
また、第１リンク４３の近傍には、互いに平行に配置される棒状の第２リンク４４および第３リンク４５が配置されている。第２リンク４４は第１リンク４３の他端とリンク結合されて支軸部４４Ｏを中心に回転し、第３リンク４５は第１リンク４３の一端とリンク結合されて支軸部４５Ｏを中心に回転するようになっている。なお、たとえば、第２リンク４４の第１リンク４３の他端とのリンク結合は、図６（ｂ）に示すように、第２リンク４４の支軸部４４Ｏから第２リンク４４に対してほぼ６０°の開きをなす延在部４４Ｓを有し、この延在部４４Ｓにおいてその延在方向に沿って形成された溝４４Ｄに、第１リンク４３の他端に植設されたピン４３Ｂが係合されることによってなされている。
【００３９】
これにより、第２リンク４４および第３リンク４５は、それらの平行配置関係を維持しながら、第１リンク４３の反時計廻りの回転によって、それぞれ、支軸部４４Ｏおよび支軸部４５Ｏを中心に、時計廻りに回転するようになっている。第２リンク４４および第３リンク４５のそれぞれの先端には第２可動板３２（図６（ａ）参照）が回動自在に取り付けられている。これにより、第２リンク４４および第３リンク４５の上述した回転によって、第２可動板３２は、図中左下側に円弧を描くようにして移動するようになる。すなわち、図６（ａ）に示す第２可動板３２は、図７（ａ）に示す位置まで移動がなされるようになる。
【００４０】
このように構成される可動板３１および第２可動板３２の開閉機構の動作を以下説明する。まず、図６（ｂ）に示すように、モータ３３の駆動により原動車４０が反時計回りに回転すると、原動車４０の突起体４０Ｑがラック４２のＶ字状切欠４２Ｄに係合し、第１スライダ４１を図中右側へスライドさせるようになる。ラック４２には第１可動板３１が固定されていることから、第１可動板３１は第１スライダ４１の移動に応じて移動する。そして、この際、同時に、第１リンク４３が支軸部４３Ｏを中心に反時計廻りに回転し、これにともない第２リンク４４が支軸部４４Ｏを中心に、また、第３リンク４５が支軸部４５Ｏを中心に、それぞれ時計廻りに回転する。そして、第２リンク４４および第３リンク４５の先端に回動自在に取り付けた第２可動板３２は、円弧を描くようにして下側へ移動する。
【００４１】
これにより、天飾り部材を表側から観ている遊技者は、図７（ａ）に示すように、第１可動板３１が左側へ、第２可動板３２が円弧を描いて下側へ、それぞれ同時に移動するのを目視できるとともに、いままで、第１可動板３１および第２可動板３２によって隠されていた目玉３５が現出してくるのを認識できるようになる。
〈目玉の揺動機構〉
次に、第１可動板３１および第２可動板３２の開く動作によって現出する目玉３５の揺動機構およびその動作について以下説明する。
【００４２】
図７（ｂ）に示すように、従動車５０は原動車４０の歯欠部４０Ｂによって噛み合っていない状態で第１溝部５０Ｄが原動車４０の第１歯４０の噛み合いを待つ待機状態で停止保持されている。この状態で、原動車４０がさらに反時計廻りに回転すると、従動車５０の第１溝部５０Ｄと原動車４０の歯列部４０Ａにおける最初の歯（第１歯）４０Ｐと噛み合うことにより従動車５０の待機状態が解除され、これにより可動物である目玉３５の可動が開始される。
【００４３】
ここで、従動車５０は、図１１に示すように、その周囲に歯列部５０Ａを有したものとなっているが、一部に歯欠部５０Ｂを備えたものとして構成されている。この歯欠部Ｂ５０は、原動車４０の歯欠部４０Ｂにおける円弧面に当接し得る円弧面を備えて構成されている。従動車５０は、その歯列部５０Ａが原動車４０の歯列部４０Ａに対向して噛合されることによって原動車４０の回転が伝達されるようになるが、その歯欠部５０Ｂが原動車４０の歯欠部４０Ｂに対向することによって、原動車４０が回転しているにも拘わらず、従動車５０の回転が休止（停止）されるようになる。原動車４０が回転しても、その歯欠部４０Ｂの円弧面が、従動車５０の歯欠部５０Ｂの円弧面に対して摺動してしまうからである。そして、従動車５０には、歯列部５０Ａと歯欠部４０Ｂとの間であって前記原動車４０の回転にともない該原動車４０の歯列部４０Ａの最初の歯（第１歯）４０Ｐと噛み合う個所に、第１歯４０Ｐに対応する形状をなす溝（第１溝）５０Ｄが形成されている。したがって、第１溝５０Ｄは、従動車５０の歯列部５０Ａにおいて形成される他の溝よりも深く幅が広く形成されたものとなっている。すなわち、従動車５０は、その歯列部５０Ａにおいて、前記原動車４０の第１歯が噛み合う第１溝５０Ｄとともに、前記第１歯４０Ｐ以外の他の歯が噛み合う第２溝を備えることによって構成されている。
【００４４】
図７（ｂ）は、原動車４０が反時計回りに回転し続け、原動車４０の歯列部４０Ａが従動車５０の歯列部５０Ａに噛み合う手前を示した状態となっている。なお、この状態では、上述したように、原動車４０は、その歯欠部４０Ｂが従動車５０の歯欠部５０Ｂと円弧面で対向した状態にあり、原動車４０が回転しているにも拘わらず、従動車５０は原動車の歯欠部４０Ｂによって噛み合っていない状態で第１溝５０Ｄが上記待機状態で停止保持されている。この図７（ｂ）から明らかとなるように、原動車４０の歯列部４０Ａが従動車５０の歯列部５０Ａに噛み合う際には、原動車４０の第１歯４０Ｐが他の歯に先立って従動車５０に噛み合うようになっている。従動車５０には、上述したように第１溝５０Ｄが形成され、原動車４０の第１歯４０Ｐは、従動車５０の第１溝５０Ｄに噛み合うようになる。
【００４５】
この場合、原動車４０に形成された第１歯４０Ｐは他の歯より高さおよび幅が大きくして形成され、従動車５０に形成された第１溝５０Ｄは第１歯４０Ｐの大きさに対応させて形成されているため、原動車４０と従動車５０との噛み合わせのズレを防止できる。そして、原動車４０において、歯列部４０Ａの各歯のうち従動車５０と最初に噛み合う歯を前記第１歯４０Ｐとし、この第１歯４０Ｐと噛み合う従動車５０の溝を前記第１溝５０Ｄとすることにより、原動車４０と従動車５０との噛み合わせのズレを確実に防止することができる。さらに、原動車４０における第１歯４０Ｐは、歯欠部４０Ｂに隣接した個所に形成できることから、その幅あるいは高さを比較的大きく形成できる。このことは、同様に、従動車５０における第１溝５０Ｄにおいても原動車４０の第１歯４０Ｐに対応させて大きく形成できる。このことから、原動車４０の第１歯４０Ｐと従動車５０の第１溝５０Ｄとの噛み合いをズレなく行うことができるようにできる。
【００４６】
そして、このように原動車４０と噛み合いがなされる従動車５０の周辺近傍の面にはピン５０Ｐが植設されている（図１１参照）。このピン５０Ｐは、従動車５０が図７（ｂ）に示す状態にある時、最も高い位置にあり、原動車４０との噛み合いによる従動車５０の回転にともなって、その回転軸を中心とした円からなる軌跡を描くように動くようになる。そして、従動車５０のこのようなピン５０Ｐの動きは、第２スライダ５１を水平方向に往復動させるようになっている。すなわち、従動車５０の前方には平板状をなす第２スライダ５１が配置されている。この第２スライダ５１は、その上下の各辺に近接する部分に、それぞれ、水平方向へ延在される長孔５１Ａ、５１Ｂが形成され、これら各長孔５１Ａ、５１Ｂには機枠３７に植設されたガイドピン５２Ａ、５２Ｂが嵌合されている。これにより、第２スライダ５１は水平方向へ移動し得る状態で機枠３７に取り付けられている。
【００４７】
また、第２スライダ５１には原動車４０側の辺（図中右側辺）に近接する個所に垂直方向に延在する長孔５１Ｈが形成され、従動車５０の前記ピン５０Ｐはこの長孔５１Ｈに嵌合されている。これにより、従動車５０の回転によって、前記ピン５０Ｐは、第２スライダ５１の長孔５１Ｈの側壁を押圧するようになる。これにより、第２スライダ５１は水平に移動し、従動車５０の回転が持続されることによって、第２スライダ５１は往復動をするようになる（図８(ｂ)、図９（ｂ）参照）。
【００４８】
また、前述した第１スライダ４１の上方には、眼球体６０が配置されている。この眼球体６０は、たとえば図７（ａ）、（ｃ）に示すように、遊技者によって目視できる正面の円弧面６０Ａに目玉３５が描画されている。眼球体６０は、その下方に配置されたガイドレール６１に沿って図中水平方向に若干の往復動ができるようになっている。また、眼球体６０は、その下面に設けられた軸体６０Ｂによってガイドレール６１に嵌合され、前記軸体６０Ｂの廻りに若干の回動（揺動）ができるようになっている。また、眼球体６０の上面には水平方向に延在する揺動板６０Ｃが取り付けられている。この揺動板６０Ｃは、その両端において眼球体６０側へ延在するたとえば螺子等からなる一対の突出部６０Ｐ、６０Ｑが備えられ、これら突出部６０Ｐ、６０Ｑは眼球体６０の上面に形成された溝６５（図１２参照）に係合され、この溝６５に沿って若干の移動ができるようになっている。
【００４９】
図１２は、眼球体６０の平面図を示し、その上面には、円弧面６０Ａの側に凸を有する円弧状をなす溝６５が形成されている。揺動板６０Ｃは、その突出部６０Ｐ、６０Ｑが溝６５に嵌合されることによって、眼球体６０に対して若干の円弧状の移動ができるように取り付けられている。このことは、揺動板６０Ｃが水平方向（図中左右方向）に移動した場合、眼球体６０は軸体６０Ｂを中心として若干の揺動がなされることを意味する。そして、揺動板６０Ｃの表面のほぼ中央には突起部６０Ｘが植設されている。
【００５０】
図７（ｂ）に戻り、揺動板６０Ｃの上方には、機枠３７に固定されるガイド部（図示せず）に沿って水平方向に移動し得る移動体７０が配置され、この移動体７０の揺動板６０Ｃ側の面には機枠３７の表裏面側へ延在する溝７０Ｃが形成されている。移動体７０の溝７０Ｃには揺動板６０Ｃの前記突起部６０Ｘが係合するようになっている。また、移動体７０には前記第２スライダ５１側に延在するアーム８０が取り付けられ、このアーム８０の先端にはピン８０Ａが植設されている。第２スライダ５１の前記揺動板６０Ｃ側の辺（図中左側辺）に近接する個所には垂直方向に延在する長孔５１Ｎが形成され、アーム８０の前記ピン８０Ａはこの長孔５１Ｎに係合されている。
【００５１】
このように構成される目玉３５の揺動機構の動作を以下説明する。従動車５０は、第１溝部５０Ｄが原動車４０の第１歯４０の噛み合いを待つ待機状態で停止保持されており、原動車４０の回転が進むと、原動車４０の第１歯４０Ｐは、従動車５０の第１溝５０Ｄに最初に噛み合って原動車４０の歯列部４０Ａが従動車５０の歯列部５０Ａに噛み合い、従動車５０が回転して従動車５０の待機状態が解除される。このような従動車５０の回転によって、従動車５０のピン５０Ｐは、時計廻りに円を描き、第２スライダ５１の長孔５１Ｈの図中右側壁を図中右側へ押圧するようになる。これにより、第２スライダ５１は図中右側方向に移動し、第２スライダの移動は図中右側端部にまでなされるようになる（図８（ｂ）参照）。このような第２スライダ５１の移動にともない、アーム８０を介して移動体７０が同方向に移動するようになる。そして、移動体７０の移動は揺動板６０Ｃを介して眼球体６０を移動させるようになる。この場合、揺動板６０Ｃは眼球体６０に形成された円弧状の溝６５に沿って移動可能となっていることから、眼球体６０は、ガイドレール６１に嵌合されている軸体６０Ｂを中心に揺動するようになる（図８（ｃ）参照）。これにより、遊技者は、眼球体６０に描画された目玉３５が左側を睨むようにして動くことを認識できるようになる（図８（ａ）参照）。
【００５２】
原動車４０がさらに回転すると、従動車５０のピン５０Ｐを長孔５１Ｈ内に係合する第２スライダ５２は図中左側方向に移動し、この移動は図中左側端部に至るまでなされるようになる（図９（ｂ）参照）。第２スライダ５１の移動にともない、アーム８０を介して移動体７０が同方向に移動するようになる。そして、移動体７０の移動は、６０Ｃを介して眼球体６０を移動させるようになる。この場合、揺動板６０Ｃは眼球体６０に形成された円弧状の溝に沿って移動可能となっていることから、眼球体６０は、ガイドレール６１に嵌合されている軸体６０Ｂを中心に揺動するようになる（図９（ｃ）参照）。これにより、遊技者は、眼球体６０に描画された目玉３５が中央を通過して右側を睨むようにして動くことを認識できるようになる（図９（ａ）参照）。
【００５３】
なお、この後は、モータ３３を逆転させることにより、上述した動作と全く逆な動作をさせることができ、最終的には第１可動板３１および第２可動板３２が閉じた状態となることによって一連の動作が終了することになる。
【００５４】
上述した実施態様では、原動車４０に設けられた第１歯４０Ｐは、原動車４０の歯列部４０Ａの他の歯よりも幅を大きくまた歯の高さを大きく構成したものである。しかし、これに限定されることはなく、原動車４０の第１歯４０Ｐは他の歯よりも幅だけを大きく構成するようにしてもよい。また、原動車４０の第１歯４０Ｐは他の歯よりも高さだけを大きく構成するようにしてもよい。このようにした場合、いずれも、上述したと同様の効果が得られるからである。また、従動車５０が原動車４０の歯と噛み合っている時には作動し、噛み合っていない時には作動しないように保持するギヤやバネ等の部材を別途設けるようにしてもよい。この構成によって原動車４０と従動車４０の係合関係を強固にすることができる。
【００５５】
上述した実施態様では、一つのモータで、目玉３５の動作と第１可動板３１および第２可動板３２の動作を行なわせたものである。しかし、これに限定される  ことはなく、たとえば、目玉３５だけの動作を行うようにしてもよい。さらに、目玉３５を動作させることに限定されることはなく、他の役物を動作させる場合にも本発明を適用することができる。このような場合において、歯列部４０Ａと歯欠部４０Ｂを有する原動車４０の回転において、原動車４０の歯列部４０Ａと対向する従動車５０の動作態様、および原動車の歯欠部４０Ａと対向する従動車５０の動作態様において、役物をそれぞれ異なる（変化ある）態様で動作させることができるからである。
【００５６】
上述した実施態様では、原動車４０は、その周方向に沿って、歯列部４０Ａと、歯欠部４０Ｂと、非ギャ部４０Ｃとを有して構成されたものである。しかし、前記非ギャ部４０Ｃは形成されてなくてもよい。たとえば、原動車４０は、歯列部４０Ａと歯欠部４０Ｂとで構成されていてもよい。すなわち、原動車には少なくとも歯列部と歯欠部とが形成されていればよい。このような原動車であっても本発明を適用できるからである。
【００５７】
上述した実施態様では、原動車４０は、その歯列部４０Ａが従動車５０と対向して回転している間は、従動車５０に回転を伝達させるようにしてたとえば第２スライダ５１を駆動させ、その歯欠部４０Ｂが従動車５０と対向して回転している間は、従動車５０に回転を強制的に停止（原動車４０の円弧面からなる歯欠部４０Ｂと従動車５０の円弧面からなる歯欠部５０Ｂを摺動させることによって）させるように構成したものである。しかし、原動車４０において、その歯欠部４０Ｂが従動車５０と対向して回転している間、従動車５０は原動車４０の回転に拘束されず、自由に回転できるように構成してもよい。すなわち、従動車５０の回転が原動車４０の回転に拘束されず、自由に回転できる状態に構成するようにしてもよい。このようにした場合、たとえば、可動物の重力によって落下させる場合等において、たとえばワイヤを介して可動物を巻き取る従動車５０を、原動車４０の回転と関係なく回転させることができる機構を構成できる。
【００５８】
上述した実施態様では、遊技機の一例としてパチンコ機を揚げて説明したものである。しかし、パチンコ機に限定されることはなく、たとえばパチスロ機等のように他の遊技機にも適用することができる。
【００５９】
上述した各実施態様から明らかなよう、本発明の遊技機によれば、歯欠部が形成された歯車を有する歯車列を介して役物の可動を行う機構を備えるものにあって、歯車列のかみ合いを確実とし、役物の可動を信頼性あるものとすることができるようになる。
【００６０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００６１】
上記実施形態では、原動車４０が第１可動板３１、第２可動板３２を可動させ、従動車５０が目玉３５を可動させる例について説明したが、本発明のこの実施形態には限定されず、原動車４０には歯列部４０Ａの各歯のうち従動車５０と最初に噛み合う第１歯４０Ｐが原動車の他の歯より高さと幅を大きくして形成し、従動車５０には、原動車の第１歯４０Ｐと噛み合うとともに第１歯４０Ｐの大きさに対応して形成された第１溝部５０Ｄを有するものであれば、どのようなものにも適用することができる。例えば、特許文献１に記載の遊技機にも適用でき、従動車の待機状態が解除されて、従動車によるワイヤの巻き取りが開始される。これにより、歯車列の噛み合いを確実にでき、ワイヤでの巻き取り動作を信頼性あるものとすることができる。
【符号の説明】
【００６２】
１０……遊技盤、１１……遊技領域、１２……ガイドレール、１２Ａ……外側レール、１２Ｂ……内側レール、１３……アウト口、１４……開口、１５……画像表示装置、１５Ａ……表示面、１６……ステージ、１７……排出口、１８……始動口、１９……大入賞口、１９Ａ……扉、３０……天飾り部材、３１……第１可動板、３２……第２可動板、３３……モータ（駆動源）、３５……目玉、３７……機枠、４０……原動車、４０Ａ……歯列部、４０Ｂ……歯欠部、４０Ｃ……非ギャ部、４０Ｐ……歯（第１歯）、４０Ｍ……突条、４０Ｑ……突起体、４１……第１スライダ、４１Ｈ……長孔、４２……ラック、４２Ｄ……Ｖ字状切欠、４３……第１リンク、４３Ｏ……支軸部、４３Ａ、４３Ｂ……ピン、４４……第２リンク、４４Ｏ……支軸部、４４Ｓ……延在部、４４Ｄ……溝、４５……第３リンク、５０……従動車、５０Ｄ……第１溝、５０Ｐ……ピン、５１……第２スライダ、５１Ａ、５１Ｂ、５１Ｈ、５１Ｎ……長孔、６０……眼球体、６０Ａ……円弧面、６０Ｂ……軸体、６０Ｃ……揺動板、６０Ｘ……突起部、６１……ガイドレール、６５……溝、７０……移動体、７０Ｃ……溝、８０……アーム、８０Ａ……ピン。
【図１】
0005392210.tif 000002
【図２】
0005392210.tif 000003
【図３】
0005392210.tif 000004
【図４】
0005392210.tif 000005
【図５】
0005392210.tif 000006
【図６】
0005392210.tif 000007
【図７】
0005392210.tif 000008
【図８】
0005392210.tif 000009
【図９】
0005392210.tif 000010
【図１０】
0005392210.tif 000011
【図１１】
0005392210.tif 000012
【図１２】
0005392210.tif 000013